(57)【特許請求の範囲】
【請求項１】
照明を制御するためのシステムであって、
所定数の放射される色のオプションを有するように構成された第１及び第２の照明パネルと、
前記第１及び第２の照明パネルに機能的にそれぞれ接続された第１及び第２のプロセッサと、を備え、
前記第１のプロセッサは、第１の色選択作動に応答して、前記所定の放射光オプションの各々を、前記第１の照明パネルの異なる部分内に表示するように、前記第１の照明パネルを制御するように構成され、
前記第１のプロセッサは、第２の色選択作動に応答して、前記所定の放射光オプションのうち選択された１つを、前記第１の照明パネルの実質的に全体にわたって表示するように、前記第１の照明パネルを制御するように構成され、前記所定の放射光オプションのうちの前記選択された１つは、第２の色選択作動によって指示され、
前記第２のプロセッサは、前記所定の放射光オプションのうちの前記選択された１つを、第２の照明パネルの実質的に全体にわたって表示するように、第２の照明パネルを制御することにより、第３の色選択作動に応答するように構成されていることを特徴とするシステム。
【請求項２】
ユーザの入力に応答して、第１及び第２の色選択作動の両方を生成するように構成された選択作動装置を備えていることを特徴とする請求項１に記載のシステム。
【請求項３】
選択作動装置は、第１の色選択作動である第１の電磁信号を生成するように構成されていると共に、第２の色選択作動である第２の電磁信号を生成するように構成されていることを特徴とする請求項２に記載のシステム。
【請求項４】
選択作動装置は、レーザポインタであり、第１及び第２の電磁信号は、光信号であることを特徴とする請求項３に記載のシステム。
【請求項５】
選択作動装置は、無線周波数（ＲＦ）放射装置であり、第１及び第２の電磁信号は、ＲＦ信号であることを特徴とする請求項３に記載のシステム。
【請求項６】
選択作動装置は、第２の電磁信号として、ナロービーム電磁信号を生成するように構成されていることを特徴とする請求項３に記載のシステム。
【請求項７】
前記第１のプロセッサは、第２の電磁信号が前記第１の照明パネルに衝突した、前記第１の照明パネルの部分を検出するように構成され、前記所定の放射光オプションのうちの前記選択された１つは、前記第１の照明パネルにおける検出された部分の色であることを特徴とする請求項３に記載のシステム。
【請求項８】
前記第１のプロセッサは、第２の電磁信号の受信に応答して、知覚的信号を生成するように構成されていることを特徴とする請求項１に記載のシステム。
【請求項９】
知覚的信号は、前記所定の放射光オプションのうちの前記選択された１つを表示する前記第１の照明パネルの部分の点滅であることを特徴とする請求項８に記載のシステム。
【請求項１０】
第３の色選択作動は、コピーアンドペースト作動であることを特徴とする請求項１に記載のシステム。
【請求項１１】
第３の色選択作動は、ドラッグアンドドロップ作動であることを特徴とする請求項１に記載のシステム。
【請求項１２】
前記第１のプロセッサに機能的に接続されて、聴覚信号を受信するように構成されたマイクロホンを備え、第１及び第２の色選択作動は聴覚信号であり、前記第１のプロセッサは、受信した聴覚信号から第１及び第２の色選択作動を決定するように構成されていることを特徴とする請求項１に記載のシステム。
【請求項１３】
前記第１のプロセッサに機能的に接続されて、画像を取得するように構成された画像取得装置を備え、第１及び第２の色選択作動はジェスチャー指示信号であり、前記第１のプロセッサは、取得した画像からジェスチャー指示信号を特定するように構成されていることを特徴とする請求項１に記載のシステム。
【請求項１４】
照明パネルを制御するための方法であって、
第１の色選択作動に応答して、照明パネルを制御して、所定数の放射される光のオプションのそれぞれを、照明パネルの異なる部分に表示する段階と、
前記所定の放射光オプションのうち選択された１つを指示する第２の色選択作動に応答して、照明パネルを制御して、前記所定の放射光オプションのうちの前記選択された１つを、照明パネルの実質的に全体にわたって表示する段階と、
第３の色選択作動に応答して、他の照明パネルを制御して、前記所定の放射光オプションのうちの前記選択された１つを、他の照明パネルの実質的に全体にわたって表示する段階と、
を備えていることを特徴とする方法。
【請求項１５】
第２の色選択作動が衝突した照明パネルの部分を検出する段階と、
照明パネルの検出された部分の色を決定する段階と、を備え、
照明パネルを制御して前記所定の放射光オプションのうちの前記選択された１つを表示する前記段階が、照明パネルを制御して、照明パネルの検出された部分の色を表示する段階を備えていることを特徴とする請求項１４に記載の方法。
【請求項１６】
第２の電磁信号の受信に応答して、知覚的信号を生成する段階を備えていることを特徴とする請求項１４に記載の方法。
【請求項１７】
知覚的信号は、視覚的な知覚的信号であることを特徴とする請求項１５に記載の方法。
【請求項１８】
第３の色選択作動は、コピーアンドペースト作動、及び、ドラッグアンドドロップ作動のうちの１つであることを特徴とする請求項１４に記載の方法。
【請求項１９】
コンピュータ可読媒体に具現されたアプリケーションであって、コンピュータに、
第１の色選択作動に応答して、照明パネルを制御し、所定数の放射される光のオプションの各々を、照明パネルの異なる部分内に表示するように構成された部分と、
前記所定の放射光オプションのうち選択された１つを指示する第２の色選択作動に応答して、照明パネルを制御し、前記所定の放射光オプションのうちの前記選択された１つを、照明パネルの実質的に全体にわたって表示するように構成された部分と、
他の照明パネルを制御することにより第３の色選択作動に応答して、他の照明パネルを制御して、前記所定の放射光オプションのうちの前記選択された１つを、他の照明パネルの実質的に全体にわたって表示するように構成された部分と、
を実行させることを特徴とするアプリケーション。
【請求項２０】
第２の色選択作動が衝突した照明パネルの位置を検出する部分と、
照明パネルの検出された位置の色を決定する部分とを備え、
照明パネルを制御して、前記所定の放射光オプションのうちの選択された１つを表示するように構成された前記部分が、照明パネルを制御して、照明パネルの検出された位置の色を表示する部分を備えていることを特徴とする請求項１９に記載のアプリケーション。
【発明の詳細な説明】
【背景技術】
【０００１】
小売店、遊園地、ディスコなどの商業団体やプライベートな家庭に使用される照明システムは、本質的に任意の色又は魅力的な雰囲気を作ることができる。システムに含まれる複数の照明要素の使用により、システムは、異なる色を放射する能力を有する。異なる色は、通常は、事前に設定された選択に基づく。照明システムは、珍しい又は人目を惹くような複数のシステム装置を形成するように組み合わせることができる。家庭環境においては、複数のシステム装置は、標準的な垂直又は水平な配列、水平又は垂直な配列の組合せで使用及び配置することができ、又は世帯の居住者にとって適当な任意の配列とすることができる。商業団体では、複数のシステム装置は、製品のために魅力的な有色表示オプションを提供し、例えば、ディスコにおいて音楽と組み合わせられて、魅力的な雰囲気を提供する。
【０００２】
多色の提供を表示する能力を有するシステムにおいて、重要な問題点は、それぞれの個々のシステムについての色の制御である。例えば、店のマネージャが、ある特定のシステムの前に配置された棚の製品に注意を引き付けたいと望むならば、店のマネージャは、かかるシステムを所望の色に調整するために、製品の列を取り除く必要があるだろう。店のマネージャが、その装置の異なるシステムのそれぞれに異なる色を放射させることを望む場合、又は、店のマネージャがその色を頻繁に変更する場合、この問題は、悪化するだけである。プライベートな家庭では、照明システム装置は、居住者が容易にアクセスできない高さ又は距離に配置され、システムの色を変更するには、梯子及びその他の機器を使用することが必要である。
【０００３】
遠隔制御装置のような指示装置は、離れた又は容易にアクセスできない対象物とのインターフェースを許容し、対象物に直接アプローチしなければならない困難及び非効率を回避しつつ、対象物を変更する手段をユーザに提供する。指示装置及び遠隔制御装置は、対象物と相互作用するための光ビームのような電磁ビームを利用する。対象物の光受信要素が、光ビームを検出するために使用される。代表的に、光ビームは、制御信号として直接解釈される光パルスの形態である。
【０００４】
指示装置は、同様のやり方で、照明パネルを制御するためにも利用されてもよい。いくつかの事例においては、指示装置は、照明パネルに表示されるオプションを選択するために使用されてもよい。ここに参照によって引用される、国際特許公開第２００５／０２９３９５号（“´３９５公報”）は、座標検出システムを用いており、これは、指示装置から発せられた光ビームが照明パネルのどこに衝突したのかを検知及び検出して、オプションの選択を容易にするために、照明パネルに光ガイド層を備えている。
【０００５】
しかしながら、現在の技術は、事前に設定された色の提供を有する照明システムを容易且つ効率的に制御するための手段及び方法を示していない。
【発明の開示】
【発明が解決しようとする課題】
【０００６】
本発明のシステムの目的は、従来技術におけるこれらの及びその他の不都合を解決することである。
【課題を解決するための手段】
【０００７】
本発明のシステムは、照明システムの色を容易且つ効率的に変更するための手段及び方法を提供する。本発明のシステムによれば、照明システムによって放射される光の色を無線制御する装置が提供され、そうした装置は、信号発生手段と、信号伝達手段とを具備している。照明システムはさらに、信号受信手段と、照明要素から放射される光の色を制御する手段とを具備している。
【０００８】
本発明のシステムの実施形態によれば、照明システムによる光の色を無線制御する装置が提供され、そうした装置は、所定の数の放射される色のオプションを有する照明パネルと、照明パネルに機能的に接続されたプロセッサとを具備している。プロセッサは、所定の各放射光オプションを、照明パネルの異なる部分内に表示させるように照明パネルを制御することで、第１の色選択作動に応答する。その後、プロセッサは、選択された１つの所定の放射光オプションを実質的に照明パネルの全体にわたって表示させるように、照明パネルを制御することで、第２の色選択作動に応答し、ここで、選択された１つの所定の放射光オプションは、第２の色選択作動によって指示される。
【０００９】
本発明のシステムの別の実施形態によれば、照明システムの色を無線方式で変更する方法が提供され、無線装置を向ける工程と、その装置を作動させる工程と、その装置から照明システムへ光ビームを伝達する工程と、光ビームの位置を照明システムに向けるために、動きを介して装置を操縦する工程と、装置のボタンを押圧することにより照明システムの色を変更させる工程とを含む。
【００１０】
本発明のシステムのさらに別の実施形態によれば、照明システムの色を無線方式で変更する方法が提供され、無線装置を向ける段階と、前記装置を作動させる工程と、その装置から照明システムへ信号を伝達する工程と、照明システムから信号を受信する工程と、その信号を装置に格納する工程と、例えば、第１の照明システムから第２の照明システムへ方向を変更することにより、その装置を操縦する工程と、その装置のボタンを押圧することにより、第２の照明システムの色を変更する工程とを備えている。
【００１１】
以下は、例示的な実施形態の説明であり、添付図面と関連させることで、上述した特徴及び利点を例証する。以下の説明においては、限定というよりもむしろ説明の目的のために、特定の構造、インターフェース、技術などが、特定の詳細が例示のために明らかにされる。しかしながら、当業者には明らかなように、これらの特定の詳細から逸脱した他の実施形態も、依然として、特許請求の範囲の範囲に包含されるものと理解される。さらに、明瞭さの目的のために、周知の装置、回路、及び方法、例えば、照明の電源システムなどについての詳細な説明は省略され、本発明のシステムの説明を不明瞭にしないようにしている。
【００１２】
添付図面は、例示的な目的のために含められ、本発明のシステムの範囲を表すものではないことが、明白に理解されるべきである。添付図面では、異なる図面において、同様な要素には、対応する参照符号を付している。
【発明を実施するための最良の形態】
【００１３】
本願において、無線制御のための装置を示す用語には、“遠隔制御ユニット”、“遠隔制御装置”、及び、“指示装置”が含まれる。これらの用語は、同一の意味を有するものとして理解され、従って、以下の詳細な説明の全体にわたって交換可能になっている。
【００１４】
用語“照明システム”は、全体にわたって使用され、限定はしないが、それらには、照明パネル、標識システム、可撓性（ロープ）の照明、管の照明、及び棚の照明システムが含まれる。
【００１５】
この説明の全体にわたって、“ボタン”という用語は、指示装置を作動させる作動装置を参照して使用される。当業者が理解するように、“ボタン”という用語は、スイッチ、機械的ボタン、接触感知表示スクリーン、及び音声による作動を含む、他の作動装置をも参照する。
【００１６】
照明システムの色を変更するための遠隔制御装置の使用について例示的に説明する前に、照明システム及び遠隔制御装置のいくつかの構成が続き、例えば、照明システムが、任意の数の照明要素を備え、遠隔制御装置と照明システム間のチャンネルの通信が、単一方向性及び双方向性であることが例示される。図１及び図２に示された遠隔制御装置は、参照によって出願の内容の全文が組み込まれる欧州特許出願第０５１０５９１５．２号（出願２００５年６月３０日、名称"Remote Color Control Device and Lighting System"）に開示された装置を含む任意の無線制御のための装置であってもよい。
【００１７】
開示されたシステムの一部分を形成する照明要素は、複数の所望の色及び強度を有する可視光を再生できる。照明要素は、例えば、ＲＧＢ色システムに適合する多色の発光ダイオード（ＬＥＤ）装置の形態で実現される。それにもかかわらず、本発明のシステムの範囲から逸脱せずに、任意の他の適当な制御可能な多色発光要素を用いてもよい。
【００１８】
図１は、照明システム１０３によって放射される光の色１３１ａ〜１１３ｃを無線制御するための遠隔制御装置１０１の基本的な構成を示している。遠隔制御装置１０１は、電子回路を具備しており、これは、少なくとも論理的に、発生器１０７と信号送信機１０９とに分割されている。さらに、異なるユニットを複数の方法で実現してもよく、それらには、ハードウェア回路、本発明のシステムに従って作動する適切なソフトウェアを利用するプログラマブル回路、及び、ハードウェア回路とプログラマブル回路との組合せが含まれる。
【００１９】
信号送信機１０９は、信号１１７を送信するように構成されている。後述するように、信号１１７は好ましくは、幾分集中された（例えば、ナローの）電磁放射ビームとして送信される。信号１１７は、照明システム１０３の受信機１１１によって受信され、照明システムは、複数の照明要素１１５ａ〜１１５ｃ並びに制御装置１１３を具備している。それぞれの照明要素１１５ａ〜１１５ｃは、制御装置１１３により、個々に制御可能であり、色及び強度などの所定の特性を有する光１３１ａ〜１３１ｃを放射する。当業者が理解するように、システム１０３は、互いに任意の所望の空間的構成で配置された任意の数の照明要素を含んでもよく、その空間的構成には、要素の矩形配列及びより不規則な分布が含まれる。加えて、放射された光１３１ａ〜１３１ｃは、ある実施形態においては、特有で、別々である。しかしながら、別の実施形態においては、放射された光１３１ａ〜１３１ｃは、別々の色部分が存在する限りにおいて、部分的に互いにぼやけていてもよい。
【００２０】
以下の説明を容易にするために、光の色特性の調整について説明する。しかしながら、当業者が容易に理解するように、以下の説明は、強度、色、飽和など、放射された光のその他の特性を制御する場合にも当てはまる。
【００２１】
図２は、照明システム２０３によって放射される光の色２３１ａ〜２３１ｃを無線制御するための遠隔制御装置２０１の基本的な構造を示している。遠隔制御装置２０１は、電子回路を備え、これは、少なくとも論理的に、色情報データ発生器２００と、制御装置２０７と、送受信機２０９と、メモリなどの記憶装置２０５とに分割されている。
【００２２】
送受信機２０９は、照明システム２０３の制御装置２１３に接続された対応するシステム送受信機２１１と、双方向通信チャンネル２１７を作動させるように構成されている。放射される光の所望の特性に関する情報（放射された光の色を含む）、及び、所望の及び放射された光の強度に関する情報は、双方向チャンネル２１７を介して交換される。記憶装置２０５は、そうした情報のデータベースを格納し、この情報は、以前に選択された色特性（色及び強度を含む）などである。記憶装置２０５は、格納された情報を、必要に応じて、色情報データ発生器２００に提供する。信号２１７は、好ましくは、電磁放射の幾分集中されたビームとして送信されるが、遠隔制御装置を利用するいくつかの実施形態では、本発明のシステムに従って機能するために、必ずしも集中されたビームを利用しない。
【００２３】
信号２１７は、照明システム２０３の受信機２１１によって受信され、照明システムは、制御装置２１３に接続された複数の照明要素２１５ａ〜２１５ｃも含む。照明要素２１５ａ〜２１５ｃは、所望の色及び／又は強度を有する光２３１ａ〜２３１ｃを放射するように、制御装置２１３により個々に制御可能になっている。システム２０３は、互いに任意の所望の空間的構成で配置された任意の数の照明要素を含んでいてもよく、その空間的構成には、特有の要素の矩形配列及びより不規則な分布が含まれる。
【００２４】
図１及び図２に具現された遠隔制御装置１０１，２０１は、この指示装置を作動させるための作動ボタン１４１，２４１を備えていてもよい。この指示装置は、照明システムに向けられる（例えば、指される）前又は後に作動される。図１及び図２の装置は、望み及び必要に応じて、変更又は調整してもよい。例えば、装置１０１は、プレゼンテーションの表示中に、焦点を指示するために使用されるような、有色光（例えば、赤）を放射する単なるレーザポインタであってもよい。本発明のシステムの範囲内におけるさらに別の変形例は、以下に説明する本発明のシステムの作動から、当業者に明らかであろう。
【００２５】
また、上述したシステムの制御装置は、ある期間にわたって徐々に照明要素から放射された光の特性を調整するように構成してもよいことに留意されたい。例えば、照明要素から放射された光の色は、ある期間にわたって徐々に変化してもよい。さらに、複数の照明要素を有しているシステムにおいては、本発明のシステムの遠隔制御装置による制御の結果、第１の照明要素が所望の色を取得したとき、所望されれば、そのシステムの１つ又は複数の他の照明要素が同一の色を取得してもよい。
【００２６】
照明システムの放射特性の変更を容易にするために、本発明のシステムは、特性の選択の前に、かかるシステムによってどのような特性が放射できるかに関する指示を提供する。例えば、照明パネルの色を変更するために、ユーザは、そのパネルによって表示可能な色の視覚認知を提供される。照明システムによって放射される強度の変更を容易にするために、本発明のシステムは、強度の選択の前に、かかるシステムによってどのような強度が放射できるかに関する視覚指示を提供する。
【００２７】
本発明のシステムについて、図３及び図４Ａ乃至図４Ｅを参照して、さらに説明する。図３は、本発明のシステムを使用して、照明システムの色を変更する方法を示している。図４Ａ乃至図４Ｅは、照明システムの色を変更する方法の実施形態を示しており、その照明システムは照明パネル４０３である。図４Ａは、開始段階３１０の作動前の、パネル４０３の現在の色４０９を示している。段階３２０中の照明システムの作動時、パネル４０３は、色選択モード中に利用可能な色４０７を提示する。図示の実施形態においては、照明システムの作動は、ユーザが作動装置４０１を制御して（例えば、その装置のボタンを押圧して）、信号４１７を発生させることによって実行される。信号４１７は、指示装置４０１から放射されて、パネル４０３に向けられる。パネル４０３は、信号４１７に応答して、色選択モードに入る。例示的には、信号４１７は、例えば、レーザ指示装置によって放射される光信号である。しかしながら、他の信号、例えば赤外線（ＩＲ）信号、無線周波数（ＲＦ）信号なども、適当に利用することができる。その後、段階３３０では、ユーザは、信号４１７を、パネル４０３に提示された利用可能な色４１１の表示の１つに向けて、図４Ｃに示すように、所定の色４１１を選択する。段階３４０では、パネル４０３は、図４Ｄに示すように、選択された色４１１を放射する工程に移行する。
【００２８】
例えば、本発明のシステムに使用するのに適したパネルは、欧州特許出願第０５１０４９２８６．６号（名称を"Illumination System"）に従って構成され、ここには、光ガイドを有するバックライトシステムが開示されている。このシステムは、複数の照明要素（例えば、ＬＥＤ、サブパネルなど）を具備し、これらは、図４Ｂに示すように、異なる色の領域を創り出す。例示的には、´３９５公報に開示されているような、外部光源が座標系のどこに衝突したのかを検出するシステムは、本発明のシステムに適切に利用することができる。しかしながら、明らかに、他のシステムを適切に利用することもできる。
【００２９】
さらに別の実施形態においては、照明システム４０３は、それに焦点が当てられ又は装置４０１のライン上にあることを指示するために、段階３３０において、例えば、点滅し、又は聴覚信号を発生するなど、知覚的指示を発生してもよい。さらに、指示装置による作動は、指示装置４０１によって放射された信号４１７を、１つの照明システム内で、又は、複数の照明システムの間で移動させることで生じてもよい。また、作動（例えば、段階３２０及び／又は段階３３０）は、指示装置を作動及び不作動とすることで、又は、指示装置を照明システム４０３に向ける前に指示装置を作動させることで、生じてもよい。
【００３０】
図４Ｅは、本発明のシステムの実施形態に従って利用されるパネル４０３を示しており、このシステムでは、パネル４０３は、ユーザの色選択を容易にするために、以前に示した利用可能な色の表示と一緒に、例示的には番号（例えば、パネル１〜９）として示されるパネル指示指定を表示する。この実施形態においては、ユーザは、システムの作動及び色の選択のために、指示装置４０１に代えて、音声入力を利用することができる。この実施形態においては、段階３２０（色選択のためのパネルの作動）は、マイクロホン４２０によって捕らえられる音声命令又はその他の可聴作動によって開始する。マイクロホン４２０は、制御装置１１３に機能的に接続され（図１参照）、制御装置１１３は、例えば、音声認識を用いて作動を特定する。段階３３０は、表示されたパネル指示を使用した、所望のパネル色の音声指定を用いて、同様に実行される。例えば、ユーザが“ハチ”と言うか、又はその他の類似の用語を言うことで、ユーザが、パネル８によって放射されているのと同じ色に、パネル１〜９を着色することを望んでいることを指示する。その後、上述したのと同様に作動して、パネル１〜９は、パネル８の色に変化する（例えば、図４Ｄ参照）。
【００３１】
他の実施形態においては、パネルはパネル指示番号を表示せずに、ユーザが、単に口頭でパネル８を選択し、例えば、所望のパネルによって放射される色を口頭で表現する。例えば、ユーザは、利用可能な色を見た後に、他の利用可能な色から所望の色を区別するのに充分である“ミドリ”又はその他の言葉を単に言えばよい。
【００３２】
さらに別の実施形態においては、ユーザは、単にパネル４０３を指して、段階３２０を開始させてもよい。指したことは、制御装置１１３に機能的に接続されたカメラ４１０のような画像取得装置により捕捉される。制御装置１１３は、例えば、コンピュータ視覚技術を利用し、作動及び選択のための段階３２０及び段階３３０の両方を確認する。これらの及びその他の作動及び選択方法は、当業者が容易に認識するように利用される。
【００３３】
照明パネル４０３によって放射された光は、例えば、図４Ｂに示すように、特有であるけれども、他の実施形態においては、パネルによって放射された光は、別々の色部分が存在する限り、部分的に一緒にぼやける。
【００３４】
図５Ａ及び図５Ｂは、本発明のシステムの別の実施形態を示しており、あるパネルの従前の色の選択（例えば、図３及び図４参照）が、別のパネルの色を変更するために利用される（例えば、コピーアンドペースト作動）。図５Ａは、段階３３０のいくらか後であって、パネル４０３について上述したように、パネル５０３の色５１１が既に選択された後の様子を示している。選択された色５１１を特定する情報５１７は、指示装置５０１によって受信される（例えば、指示装置２０１と照明システム２０３との間の双方向通信を示している図２を参照されたい。）。情報５１７は、制御装置２１３によって送信され、又は、色選択の後に、パネル５０３によって放射された色から単に決定される。色５１１の情報５１７は、その後、記憶装置５０５に格納される。次に、ユーザは、装置５０１を第２の照明システム５１３に向けて、図５Ｂに示すように、ボタン５０７を作動させる。ボタン５０７の作動に応答して、情報５１７は、装置５０１の記憶装置５０５から第２の照明システム５１３へ伝達される。第２の照明システム５１３は、その後、第１の照明システム５０３の色５１１を放射する。ユーザが、第１の照明システム５０３の色５１１を見直せるように、装置は、格納された色を見るための表示パネル５０９を備えてもよい。
【００３５】
図６Ａ、図６Ｂ、及び図６Ｃは、さらに別の実施形態による、照明システムの色を変更する方法を示しており、ある１つの照明システムから別の照明システムへ、色をドラッグアンドドロップする段階を具備している。使用時には、照明システム６０３の色６１１を変更した後、指示装置６０１を、作動ボタン６０７を介して再び作動し、図６Ａに示すように、照明システム６０３に向ける。その後に、指示装置６０１は、図６Ｂに示すように、第２の照明システム６０５の方向へ動かされる。指示装置６０１を不作動、例えば作動ボタン６０７を解放すると、第１の照明システム６０３の色６０１は、第２の照明システム６０５に“ドロップ”される。第２の照明システム６０５は、その後（例えば、移行して）、図６Ｃに示すように、第１の照明システム６０３の色６１１を示す。
【００３６】
明らかなように、本願に例示的に開示された任意のシステム及び装置は、図６に関連して例示的に説明されるような所定の照明アプリケーション内で、１回又は複数回、繰り返されてもよい。これらシステムの各々は、さらに、所定のアプリケーションがグループ又は独立のパネル制御のいずれを保証するかに応じて、１つ又は複数の制御装置によって制御されてもよい。
【００３７】
本発明のシステムの実施形態について、添付図面を参照して説明したが、本発明のシステムは正確な実施形態に限定されるものではなく、当業者は、特許請求の範囲に定められた範囲及び精神から逸脱せずに、様々な実施形態の要素の組合せを含み、様々な変更及び改変を施すことができることを理解されたい。
【００３８】
特許請求の範囲の解釈においては、以下のことを理解すべきである。
ａ）  “備える”という単語は、所定の請求項に列挙された以外の他の要素又は段階が存在することを排斥しない。
ｂ）  要素に先行する不定冠詞“ａ”又は“ａｎ”は、このような要素が複数存在することを排斥しない。
ｃ）  請求項における参照符号は、請求項の範囲を制限しない。
ｄ）  いくつかの“手段”は、同一の項目又はハードウェア又は構造に実現されたソフトウェア又は機能によって表される。
ｅ）  あらゆる開示された要素は、ハードウェア部分（例えば、個別部品回路及び集積回路を含む）と、ソフトウェア部分（例えば、コンピュータプログラム）と、これらの組合せから構成される。
ｆ）  ハードウェア部分は、アナログ部分とデジタル部分との一方又は両方から構成される。
ｇ）  あらゆる開示された装置又はその一部分は、特別に別言されない限り、一緒に組み合わせ、又は、さらなる部分に分割してもよい。
ｈ）  段階又はステップの特定のシーケンスは、特別に指示されない限り、必要であることを意図されない。
【図面の簡単な説明】
【００３９】
【図１】照明システムに関連して使用するのに適した無線制御装置を具備している、本発明のシステムの実施形態を示したブロック図である。
【図２】照明システムに関連して使用される、本発明のシステムに使用するための無線装置の実施形態である。
【図３】本発明のシステムの実施形態による、照明システムの色を変更する方法を示したフローチャートである。
【図４】図４Ａ、図４Ｂ、図４Ｃ、図４Ｄ、及び図４Ｅは、代わりの事前設定された色を示すための装置を具備した照明パネルに関連して使用される無線装置が使用される、本発明のシステムの実施形態を示している。
【図５】図５Ａ及び図５Ｂは、本発明のシステムの実施形態に従った、照明システムの色を変更する方法を示している。
【図６】図６Ａ、図６Ｂ、及び図６Ｃは、本発明のシステムの実施形態に従った、照明システムの色を変更する別の方法を示している。
【符号の説明】
【００４０】
１０１  遠隔制御装置
１０３  照明システム
１０７  発生器
１０９  信号送信機
１１１  受信機
１１３  制御装置
１１５ａ  照明要素
１３１ａ−ｃ  光
２００  色情報データ発生器
２０１  遠隔制御装置
２０３  照明システム
２０５  記憶装置
２０７  制御装置
２０９  送受信機
２１１  システム送受信機
２１３  制御装置
２１５ａ  照明要素
２３１ａ−ｂ  光
４０１  指示装置
４０３  照明パネル
４０７，４０９，４１１  色
５０１  指示装置
５０３  パネル
５０５  記憶装置
５１１  色
６０１  指示装置
６０１  色
６０３，６０５  照明システム
６１１  色
【図１】
0005408769.tif 000002
【図２】
0005408769.tif 000003
【図３】
0005408769.tif 000004
【図４】
0005408769.tif 000005
【図５Ａ】
0005408769.tif 000006
【図５Ｂ】
0005408769.tif 000007
【図６Ａ】
0005408769.tif 000008
【図６Ｂ】
0005408769.tif 000009
【図６Ｃ】
0005408769.tif 000010